(57)【要約】【課題】重送が発生した券を分離機構を備えるスタッカに戻して、前記分離機構を使用して券を分離して前記スタッカから搬出するようにして、重送が発生した場合であっても、長時間停止することがなく、短時間で発券を完了することでき、利用客に対するサービスが低下せず、スループットが向上し、券を無駄にすることがなく、ランニングコストを低下させることができるようにする。【解決手段】吸入された券を返却して発券する発券機であって、前記券を搬送する搬送路と、該搬送路に接続され、前記券を分離して搬出する分離機構を備え、前記券を一時的に収納するスタッカと、前記搬送路に配設され、前記券の重送の発生を検出するセンサとを有し、前記スタッカから搬出された券に重送が発生した場合、該券を前記スタッカに戻し、再度、前記分離機構によって前記券を分離して搬出する。【選択図】図１
2005266864.tif 000002
【特許請求の範囲】
【請求項１】
（ａ）吸入された券を返却して発券する発券機であって、
（ｂ）前記券を搬送する搬送路と、
（ｃ）該搬送路に接続され、前記券を分離して搬出する分離機構を備え、前記券を一時的に収納するスタッカと、
（ｄ）前記搬送路に配設され、前記券の重送の発生を検出するセンサとを有し、
（ｅ）前記スタッカから搬出された券に重送が発生した場合、該券を前記スタッカに戻し、再度、前記分離機構によって前記券を分離して搬出することを特徴とする発券機。
【請求項２】
前記搬送路の途中に配設され、前記券に記録された情報の読み取り及び書き込みを行う読み取り書き込み装置を有する請求項１に記載の発券機。
【請求項３】
前記読み取り書き込み装置は、吸入された券に記録された情報を読み取り、前記スタッカから搬出されて発券される券に情報を書き込む請求項２に記載の発券機。
【請求項４】
（ａ）新規な券を発券する発券機であって、
（ｂ）前記券を搬送する搬送路と、
（ｃ）該搬送路に接続され、前記券を収納するホッパと、
（ｄ）前記搬送路に接続され、前記券を分離して搬出する分離機構を備え、前記券を一時的に収納するスタッカと、
（ｅ）前記搬送路に配設され、前記券の重送の発生を検出するセンサとを有し、
（ｆ）前記ホッパから搬出された券に重送が発生した場合、該券を前記スタッカに戻し、前記分離機構によって前記券を分離して搬出することを特徴とする発券機。
【請求項５】
（ａ）前記搬送路に接続された回収スタッカを有し、
（ｂ）新規な券を発券した後に、前記スタッカに残留した券を前記回収スタッカに搬送して収納する請求項４に記載の発券機。
【請求項６】
前記搬送路の途中に配設され、前記ホッパから搬出されて発券される券に情報を書き込む書き込み装置を有する請求項４又は５に記載の発券機。
【発明の詳細な説明】
【技術分野】
【０００１】
本発明は、発券機に関するものである。
【背景技術】
【０００２】
従来、鉄道の駅、空港、旅行代理店等に配設された乗車券、予約券、座席指定券、定期乗車券、航空機に搭乗するための航空券等を発行する発券機においては、挿入口から挿入された券の情報を読み取って、該情報に新たな情報を書き込んだり、該情報を消去したり、該情報を書き換えたりした後に、新たな券に交換して発行するようになっている（例えば、特許文献１参照。）。
【０００３】
この場合、前記発券機は、券を一時的に収納する一時スタッカを有し、前記挿入された券を前記一時スタッカ内に集積して保管するようになっている。また、前記挿入された券を排出する場合には、一旦（たん）、前記券を一時スタッカ内に集積した後に該一時スタッカから取り出して搬送し、前記挿入口又は該挿入口とは別の排出口から排出するようになっている。そのために、前記一時スタッカには取り出すべき券を集積された他の券と分離するための分離機構が配設されている。
【０００４】
また、前記発券機は、新たに発行される券を収納するホッパ、エラーになった券や処理後に不要となった券を収納する回収ホッパ等も有している。さらに、前記券の搬送路には、券の磁気データの読み取り及び書き込みを行う磁気エンコーダ部が配設され、前記券の裏面に貼（てん）付された磁気ストライプ等の記録部に記録された磁気データの読み取りや書き込みを行うことができる。さらに、前記券の搬送路には、印字部が配設され、該印字部によって前記券の表面に必要事項を印字された券を排出口から排出して発券する。
【０００５】
ところで、前記搬送路においては券の重送が発生することがある。該重送とは、券が複数枚重なって搬送される状態であり、例えば、前記一時スタッカから券を取り出す際に、券が適切に分離されずに二枚重なって取り出されてしまう場合等に発生する。そして、重送が発生すると、搬送路の途中で券が詰まってしまう紙詰まりが生じたり、券が搬送途中で破損したりしてしまう。そこで、前記搬送路には重送検出センサが配設され、重送の発生を検出すると、発券機のオペレータに対してアラームを通報するとともに、券を搬送するための搬送装置の動作を停止させるようになっている。これにより、オペレータは重送が発生した券を取り除くことができる。
【０００６】
ここで、空港においてオペレータが発券機に航空券を挿入して処理を行う場合の動作を例にして説明する。まず、複数の利用客の搭乗手続きを行う際、オペレータは複数枚の航空券を発券機の挿入口から一枚ずつ挿入する。すると、前記発券機は、挿入された航空券の磁気データを磁気エンコーダ部で読み取り、一時スタッカへと収納する吸入処理を実行する。そして、一枚目の航空券の吸入処理が完了すると二枚目以降の航空券の吸入処理が一枚目と同様に実行される。すべての航空券の吸入処理が完了すると、前記発券機は、一時スタッカから航空券を一枚ずつ分離して搬出し、磁気エンコーダ部で磁気データを記録し、印字部で所定の印字を行った後、排出口へ搬送する。挿入された航空券すべての排出が完了すると搭乗手続きの処理は完了する。
【０００７】
この場合、一時スタッカから取り出された航空券を磁気エンコーダ部へ搬送する途中の搬送路に配設された重送検出センサが重送の発生を監視している。そして、前記重送検出センサが重送の発生を検出すると、前記発券機は、航空券を磁気エンコーダ部の位置で停止させ、「重送エラー」としてオペレータにアラームを通報する。すると、オペレータは、手作業によって、重送となった航空券を排出又は除去し、ホッパから新しい媒体を搬送させて再生発券を行わせる。また、ホッパから取り出されて搬送された新しい媒体に磁気データを記録し、印字を行って発券する際に重送が発生した場合も、同様に、オペレータは、手作業によって、重送した航空券を排出又は除去し、前記ホッパから新しい媒体を搬送させて再生発券を行わせる。
【特許文献１】特開昭６４−１０９０号公報
【発明の開示】
【発明が解決しようとする課題】
【０００８】
しかしながら、前記従来の発券機においては、重送が検出されると動作を停止して、オペレータが手作業によって重送となった券を排出又は除去した後に動作を再開するようになっているので、発券が完了するまでに時間がかかってしまう。そのため、発券が完了するまで、利用客を長時間待たせることになり、利用客に対するサービスが低下してしまう。また、発券機のスループットが低下してしまう。さらに、重送した券を排出又は除去し、ホッパから新しい媒体を取り出して発券するので、排出又は除去された券が無駄になり、発券機のランニングコストが高くなってしまう。
【０００９】
本発明は、前記従来の発券機の問題点を解決して、重送が発生した券を分離機構を備えるスタッカに戻して、前記分離機構を使用して券を分離して前記スタッカから搬出するようにして、重送が発生した場合であっても、長時間停止することがなく、短時間で発券を完了することでき、利用客に対するサービスが低下せず、スループットが向上し、券を無駄にすることがなく、ランニングコストを低下させることができる発券機を提供することを目的とする。
【課題を解決するための手段】
【００１０】
そのために、本発明の発券機においては、吸入された券を返却して発券する発券機であって、前記券を搬送する搬送路と、該搬送路に接続され、前記券を分離して搬出する分離機構を備え、前記券を一時的に収納するスタッカと、前記搬送路に配設され、前記券の重送の発生を検出するセンサとを有し、前記スタッカから搬出された券に重送が発生した場合、該券を前記スタッカに戻し、再度、前記分離機構によって前記券を分離して搬出する。
【００１１】
本発明の他の発券機においては、さらに、前記搬送路の途中に配設され、前記券に記録された情報の読み取り及び書き込みを行う読み取り書き込み装置を有する。
【００１２】
本発明の更に他の発券機においては、さらに、前記読み取り書き込み装置は、吸入された券に記録された情報を読み取り、前記スタッカから搬出されて発券される券に情報を書き込む。
【００１３】
本発明の更に他の発券機においては、新規な券を発券する発券機であって、前記券を搬送する搬送路と、該搬送路に接続され、前記券を収納するホッパと、前記搬送路に接続され、前記券を分離して搬出する分離機構を備え、前記券を一時的に収納するスタッカと、前記搬送路に配設され、前記券の重送の発生を検出するセンサとを有し、前記ホッパから搬出された券に重送が発生した場合、該券を前記スタッカに戻し、前記分離機構によって前記券を分離して搬出する。
【００１４】
本発明の更に他の発券機においては、さらに、前記搬送路に接続された回収スタッカを有し、新規な券を発券した後に、前記スタッカに残留した券を前記回収スタッカに搬送して収納する。
【００１５】
本発明の更に他の発券機においては、さらに、前記搬送路の途中に配設され、前記ホッパから搬出されて発券される券に情報を書き込む書き込み装置を有する。
【発明の効果】
【００１６】
本発明によれば、重送が発生した券を分離機構を備えるスタッカに戻して、前記分離機構を使用して券を分離して前記スタッカから搬出するようになっている。そのため、重送が発生した場合であっても、長時間停止することがなく、短時間で発券を完了することでき、利用客に対するサービスが低下せず、スループットが向上し、券を無駄にすることがなく、ランニングコストを低下させることができる。
【発明を実施するための最良の形態】
【００１７】
以下、本発明の実施の形態について図面を参照しながら詳細に説明する。
【００１８】
図２は本発明の第１の実施の形態における発券機の内部構成を示す概略図、図３は本発明の第１の実施の形態における一時スタッカの構成を示す図である。
【００１９】
図２において、１０は発券機である。ここで、該発券機１０は、鉄道の駅、空港、旅行代理店等に配設され、鉄道の乗車券、予約券、座席指定券、定期乗車券、飛行機に搭乗するための航空券等の券を発行する装置であるが、いかなる種類の券を発行する装置であってもよいし、いかなる場所に配設された装置であってもよい。本実施の形態においては、前記発券機１０が航空券を発券するものである場合について説明する。なお、前記航空券は、裏面に磁気ストライプ等の記録部を備え、該記録部には予約内容等の情報が磁気データとして記録されている。また、前記航空券の表面には予約内容等の情報が印字されている。
【００２０】
そして、前記発券機１０は、挿入口１５から挿入されて吸入された券としての航空券の情報を読み取って、該情報に新たな情報を加えたり、該情報を消去したり、該情報を書き換えたりした後に、排出口１６から排出して発券する。そのため、前記発券機１０の内部に配設された航空券の搬送路１１の途中には、航空券の表面に飛行機の便情報である出発日、便名、出発時刻、出発地、到着地等の予約内容等の情報を印字する印字部１４が配設されている。また、前記搬送路１１の途中には、前記航空券に記録された情報の読み取り及び書き込みを行う読み取り書き込み装置としての磁気エンコーダ部１３が配設され、前記航空券の裏面に貼付された磁気ストライプ等の記録部に磁気データとして記録されている情報の読み取りや書き込みを行うようになっている。なお、前記搬送路１１は、該搬送路１１に沿って配設された複数の搬送ローラや搬送ベルトから成る図示されない搬送装置を有する。該搬送装置は、電動モータから成る搬送モータを備え、該搬送モータの駆動力をベルト、プーリ、ギヤ等から成る動力伝達機構を介して、前記搬送ローラや搬送ベルトに伝達して回転させる。これにより、前記航空券は、対向する搬送ローラや搬送ベルトによって挟み込まれた状態で搬送路１１に沿って搬送される。なお、前記搬送ローラや搬送ベルトの回転方向は、適宜変更することができ、挿入口１５から吸入された航空券を発券機１０の奥側に向けて搬送したり、発券機１０の奥側から排出口１６に向けて搬送したりすることができる。
【００２１】
また、前記発券機１０は、前記搬送路１１に接続され、新規に航空券を発行するために使用される新しい媒体を収納するホッパ１２ａ、１２ｂ及び１２ｃを有している。なお、該ホッパ１２ａ、１２ｂ及び１２ｃは、内部に積み重ねられて収納されている媒体を一枚ずつ分離して搬出するための分離部をそれぞれ備えている。また、本実施の形態において、ホッパ１２ａ、１２ｂ及び１２ｃを統合的に説明する場合には、ホッパ１２として説明する。さらに、前記発券機１０は、エラー券や処理後に不要となった航空券を回収するための回収スタッカ１８を有する。なお、該回収スタッカ１８の手前の搬送路１１には、航空券の搬送経路を切り替えるブレード１９があり、メインの搬送経路と回収スタッカ１８への搬送経路とを切り替えるようになっている。さらに、前記搬送路１１の途中において、磁気エンコーダ部１３の下方には、航空券の重送の発生を検出するセンサとしての重送検出センサ２０が配設されている。該重送検出センサ２０は、例えば、光学式のセンサであるが、航空券が複数枚重なって搬送された状態を検出することができるものであれば、いかなる種類のセンサであってもよい。
【００２２】
さらに、前記発券機１０は、前記搬送路１１に接続され、航空券を一時的に収納するスタッカとしての一時スタッカ１７を有し、前記挿入口１５から挿入されて吸入された航空券を前記一時スタッカ１７内に集積して保管するようになっている。そして、前記挿入口１５から挿入された航空券を排出する場合には、一旦、前記航空券を一時スタッカ１７内に集積した後に該一時スタッカ１７から取り出して搬送路１１内を搬送し、排出口１６から排出するようになっている。そのために、前記一時スタッカ１７には取り出して搬出すべき航空券を集積された他の航空券と分離して搬出するための分離機構が配設されている。
【００２３】
ここで、前記一時スタッカ１７は、図３に示されるように、分離機構として、分離ローラ２１、リバースローラ２２、ピックアップローラ２３及びステージ２４を備える。そして、前記分離ローラ２１は、両方向に回転可能であり、前記航空券を一時スタッカ１７内に搬入する場合には、図３において、反時計回り方向に回転する。また、前記航空券を一時スタッカ１７から搬出する場合には、図３において、時計回り方向に回転する。また、前記分離ローラ２１と対向するリバースローラ２２は、前記航空券を一時スタッカ１７から搬出する場合にだけ回転する。この場合、反時計回り方向に回転する。
【００２４】
そして、前記ピックアップローラ２３は、前記航空券を一時スタッカ１７から搬出する場合にだけ時計回り方向に回転し、一時スタッカ１７内の最上位に位置する航空券をピックアップして、前記分離ローラ２１及びリバースローラ２２の方向に送り出す。なお、前記ピックアップローラ２３は、図３に示されるように、航空券をピックアップする力を発生させるためのスプリング２５によって、下方向に付勢されている。そして、前記ステージ２４は、航空券を収納する際は下方向に退避して、図３に示されるような位置にあり、収納された航空券を分離する際は、図示されない電動モータ等の駆動源によって駆動されて矢印Ａに示される方向に上昇する。これにより、前記ステージ２４上に集積された航空券の最上位に位置する航空券は、前記ピックアップローラ２３に下から押し付けられてピックアップされ、他の券から分離される。
【００２５】
次に、前記構成の発券機１０の動作について説明する。
【００２６】
図１は本発明の第１の実施の形態における発券機の重送検出後の動作を示すフローチャートである。
【００２７】
本実施の形態においては、発券機１０が吸入された航空券を返却して発券する場合であって、一時スタッカ１７内に収納された航空券を発券する際に重送が発生したときのリカバリー動作について説明する。ここでは、発券機１０が空港に配設され、オペレータが前記発券機１０に航空券を挿入して処理を行う場合の動作を例にして説明する。
【００２８】
まず、複数の利用客の搭乗手続きを行う際、オペレータは複数枚の航空券を発券機１０の挿入口１５から一枚ずつ挿入する。すると、挿入された航空券は、発券機１０内に吸引され、搬送路１１に沿って奥側に向けて搬送され、発券機１０による吸入処理が実行される。そして、前記航空券は、磁気エンコーダ部１３を通過する際に、裏面に貼付された磁気ストライプ等の記録部に磁気データとして記録されている情報が前記磁気エンコーダ部１３によって読み取られ、その後一時スタッカ１７内に収納される。これにより、一枚目の航空券の吸入処理が完了する。そして、一枚目の航空券の吸入処理が完了すると二枚目以降の航空券の吸入処理が一枚目と同様に実行される。
【００２９】
続いて、すべての航空券の吸入処理が完了すると、前記発券機１０は、分離機構によって、一時スタッカ１７から航空券を一枚ずつ分離して搬出する。この場合、ステージ２４が上昇し、該ステージ２４上に集積された航空券の最上位に位置する航空券は、ピックアップローラ２３に下から押し付けられてピックアップされ、他の券から分離されて、分離ローラ２１及びリバースローラ２２の方向に送り出される。ここでは、分離ローラ２１が航空券を一時スタッカ１７から搬出する方向に回転し、リバースローラ２２が航空券を一時スタッカ１７に搬入する方向に回転しているので、最上位に位置する航空券に他の航空券が付着している場合でも、該他の航空券は一時スタッカ１７から搬出されないようになっている。そして、前記一時スタッカ１７から搬出された航空券は、搬送路１１に沿って排出口１６に向けて搬送される。すなわち、前記航空券は、一時スタッカ１７から発券される。
【００３０】
続いて、前記航空券が重送検出センサ２０を通過する際に、前記発券機１０は前記重送検出センサ２０の検出信号に基づいて重送が発生しているか否かを判断する。ここで、前記重送検出センサ２０が重送の発生を検出しない場合、前記発券機１０は重送が発生していないと判断し、前記航空券を搬送路１１に沿って排出口１６に向けて搬送する。そして、前記航空券が磁気エンコーダ部１３を通過する際に、該磁気エンコーダ部１３によって所定の情報が裏面に貼付された磁気ストライプ等の記録部に磁気データとして記録され、磁気記録が行われる。また、前記航空券は、印字部１４を通過する際に、該印字部１４によって所定の情報が表面に印字され、印字処理が行われた後、前記排出口１６から排出されて発券される。これにより、処理が終了する。
【００３１】
また、前記重送検出センサ２０が重送の発生を検出した場合、前記発券機１０は、リトライ回数が上限値以下であるか否かを判断する。ここで、リトライとは、複数枚重なって搬送されている航空券、すなわち、重送媒体を一時スタッカ１７に戻し、再度、分離機構によって、一時スタッカ１７から航空券を一枚ずつ分離して搬出する動作である。そして、重送の発生が検出された場合にリトライを行う回数の上限値はあらかじめ設定されている。すなわち、リトライは所定回数までしか行われないようになっている。そして、リトライを行う回数が上限値を超えた場合、前記発券機１０は、「重送エラー」として、動作を停止して、航空券を磁気エンコーダ部１３の位置で停止させ、オペレータにアラームを通報する。これにより、オペレータは、重送となった前記航空券を手作業によって排出又は除去し、ホッパ１２から新しい媒体を搬出させて再生発券を行わせる。
【００３２】
一方、リトライ回数が上限値以下である場合、前記発券機１０は搬送装置の搬送モータを停止させる。続いて、前記発券機１０は搬送装置の搬送モータをＯＮにして搬送装置を作動させる。この場合、前記搬送モータの回転方向は、吸入処理の際の方向、すなわち、吸入方向とする。これにより、重送媒体は、搬送路１１を元に戻され、一時スタッカ１７内に搬送されて収納される。続いて、前記発券機１０は、再度、分離機構によって、一時スタッカ１７から航空券を一枚ずつ分離して搬出する。すなわち、一時スタッカ再分離を行う。そして、前記一時スタッカ１７から搬出された航空券は、再度、搬送路１１に沿って排出口１６に向けて搬送され、前記発券機１０は前述の動作を繰り返して行う。このようにして、挿入された航空券すべての排出が完了すると、すべての利用客について、搭乗手続きの処理が完了する。
【００３３】
次に、フローチャートについて説明する。
ステップＳ１  航空券が一時スタッカ１７から発券される。
ステップＳ２  重送が発生しているか否かを判断する。重送が発生している場合はステップＳ３に進み、重送が発生していない場合はステップＳ８に進む。
ステップＳ３  リトライ回数が上限値以下であるか否かを判断する。リトライ回数が上限値以下である場合はステップＳ４に進み、リトライ回数が上限値を超えている場合は「重送エラー」として、処理を終了する。
ステップＳ４  搬送装置の搬送モータを停止させる。
ステップＳ５  搬送装置の搬送モータをＯＮにして搬送装置を作動させる。この場合、搬送モータの回転方向は、吸入方向とする。
ステップＳ６  重送媒体が一時スタッカ１７内に搬送されて収納される。
ステップＳ７  一時スタッカ再分離を行う。
ステップＳ８  磁気記録を行う。
ステップＳ９  印字処理を行う。
ステップＳ１０  航空券を排出し、処理を終了する。
【００３４】
このように、本実施の形態においては、航空券を一時スタッカ１７から発券する際に重送の発生が検出されると、重送媒体を一時スタッカ１７に戻して、再度、分離機構によって、一時スタッカ１７から航空券を一枚ずつ分離して搬出するようになっている。そのため、重送が発生した場合であっても、発券機１０が長時間停止することがなく、短時間で航空券の発券を完了することできる。また、ホッパ１２から新しい媒体を搬出させる再生発券が不要となるので、航空券を節約することができる。
【００３５】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００３６】
本実施の形態において、発券機１０は、図示されない上位装置に接続されている。なお、該上位装置は、ＣＰＵ、ＭＰＵ等の演算手段、半導体メモリ、磁気ディスク等の記憶手段、ＣＲＴ、液晶ディスプレイ等の表示手段、キーボード、マウス等の入力手段、通信インターフェイス等を備えるコンピュータである。なお、その他の点についての構成は、前記第１の実施の形態と同様であるので、その説明を省略する。
【００３７】
次に、本実施の形態における発券機１０の動作について説明する。
【００３８】
図４は本発明の第２の実施の形態における発券機の重送検出後の動作を示すフローチャートである。
【００３９】
本実施の形態においては、発券機１０が新規な航空券を発券する場合であって、ホッパ１２から発券する際に重送が発生したときのリカバリー動作について説明する。この場合、磁気エンコーダ部１３は、ホッパ１２から搬出されて発券される券に情報を書き込む書き込み装置として機能する。ここでは、利用客が新規に航空券を購入する場合の動作を例にして説明する。
【００４０】
利用客が新規に航空券を購入する場合、発券機１０は上位装置から発券指示を受信し、該発券指示に従って新規の航空券を発券する。この場合、前記発券機１０は、分離機構によって券を収納するホッパ１２ａ、１２ｂ及び１２ｃのいずれかから新規の媒体を一枚ずつ分離して搬出する。そして、ホッパ１２から搬出された新規な媒体としての航空券は、搬送路１１に沿って排出口１６に向けて搬送される。すなわち、前記航空券はホッパ発券される。
【００４１】
続いて、前記航空券が重送検出センサ２０を通過する際に、前記発券機１０は前記重送検出センサ２０の検出信号に基づいて重送が発生しているか否かを判断する。ここで、前記重送検出センサ２０が重送の発生を検出しない場合、前記発券機１０は重送が発生していないと判断し、前記航空券を搬送路１１に沿って排出口１６に向けて搬送する。そして、前記航空券が磁気エンコーダ部１３を通過する際に、該磁気エンコーダ部１３によって所定の情報、すなわち、飛行機の便情報として、出発日、便名、出発時刻、出発地、到着地等が裏面に貼付された磁気ストライプ等の記録部に磁気データとして記録され、磁気記録が行われる。また、前記航空券は、印字部１４を通過する際に、該印字部１４によって所定の情報が表面に印字され、印字処理が行われた後、前記排出口１６から排出されて発券される。これにより、処理が終了する。
【００４２】
また、前記重送検出センサ２０が重送の発生を検出した場合、前記発券機１０は、搬送装置の搬送モータを停止させる。続いて、前記発券機１０は搬送装置の搬送モータをＯＮにして搬送装置を作動させる。この場合、前記搬送モータの回転方向は、吸入処理の際の方向、すなわち、吸入方向とする。これにより、重送媒体は、搬送路１１を元に戻され、一時スタッカ１７内に搬送されて収納される。続いて、前記発券機１０は、再度、分離機構によって、一時スタッカ１７から航空券を一枚ずつ分離して搬出する。すなわち、一時スタッカ再分離を行う。そして、前記一時スタッカ１７から搬出された航空券は、再度、搬送路１１に沿って排出口１６に向けて搬送される。
【００４３】
そして、前記航空券が磁気エンコーダ部１３を通過する際に、該磁気エンコーダ部１３によって所定の情報が裏面に貼付された磁気ストライプ等の記録部に磁気データとして記録され、磁気記録が行われる。また、前記航空券は、印字部１４を通過する際に、該印字部１４によって所定の情報が表面に印字され、印字処理が行われた後、前記排出口１６から排出されて発券される。
【００４４】
続いて、前記発券機１０は、重送媒体として搬送路１１を元に戻され、一時スタッカ１７内に搬送されて収納された航空券のうちの残留していた航空券を、一時スタッカ１７から一枚ずつ分離して搬出する。すなわち、一時スタッカ発券を行う。そして、前記発券機１０は、一時スタッカ発券を行った航空券を搬送して回収スタッカ１８内に収納する。すなわち、回収スタッカ搬送を行う。そして、一時スタッカ１７内に残留していた航空券をすべて回収スタッカ１８内に収納すると処理を終了する。
【００４５】
次に、フローチャートについて説明する。
ステップＳ１１  航空券がホッパ発券される。
ステップＳ１２  重送が発生しているか否かを判断する。重送が発生している場合はステップＳ１３に進み、重送が発生していない場合はステップ２２に進む。
ステップＳ１３  搬送装置の搬送モータを停止させる。
ステップＳ１４  搬送装置の搬送モータをＯＮにして搬送装置を作動させる。この場合、前記搬送モータの回転方向は、吸入方向とする。
ステップＳ１５  重送媒体が一時スタッカ１７内に搬送されて収納される。
ステップＳ１６  一時スタッカ再分離を行う。
ステップＳ１７  磁気記録を行う。
ステップＳ１８  印字処理を行う。
ステップＳ１９  航空券を排出する。
ステップＳ２０  一時スタッカ発券を行う
ステップＳ２１  回収スタッカ搬送を行い、処理を終了する。
ステップＳ２２  磁気記録を行う。
ステップＳ２３  印字処理を行う。
ステップＳ２４  航空券を排出し、処理を終了する。
【００４６】
このように、本実施の形態においては、航空券をホッパ１２から発券する際に重送の発生が検出されると、重送媒体を一時スタッカ１７に戻して、再度、分離機構によって、一時スタッカ１７から一枚の航空券を分離して搬出して発券し、その他の航空券を回収スタッカ１８内に収納するようになっている。そのため、重送が発生した場合であっても、発券機１０が長時間停止することがなく、短時間で新規の航空券の発券を完了することできる。
【００４７】
また、前記第１及び第２の実施の形態においては、発券機１０をオペレータが操作する装置である場合について説明したが、前記発券機１０は利用客が自分で操作する自動チェックインマシン等の自動機であってもよい。この場合、重送が発生しても発券機１０を長時間停止することがなく、短時間で新規の航空券の発券を完了することできる、という効果は、オペレータが操作する装置よりも大きいものとなる。
【００４８】
なお、本発明は前記実施の形態に限定されるものではなく、本発明の趣旨に基づいて種々変形させることが可能であり、それらを本発明の範囲から排除するものではない。
【図面の簡単な説明】
【００４９】
【図１】本発明の第１の実施の形態における発券機の重送検出後の動作を示すフローチャートである。
【図２】本発明の第１の実施の形態における発券機の内部構成を示す概略図である。
【図３】本発明の第１の実施の形態における一時スタッカの構成を示す図である。
【図４】本発明の第２の実施の形態における発券機の重送検出後の動作を示すフローチャートである。
【符号の説明】
【００５０】
１０    発券機
１１    搬送路
１２、１２ａ、１２ｂ、１２ｃ    ホッパ
１３    磁気エンコーダ部
１７    一時スタッカ
１８    回収スタッカ
２０    重送検出センサ
２１    分離ローラ
２２    リバースローラ
２３    ピックアップローラ
２４    ステージ
【図１】
2005266864.tif 000003
【図２】
2005266864.tif 000004
【図３】
2005266864.tif 000005
【図４】
2005266864.tif 000006